(57)【特許請求の範囲】
【請求項１】
建築物の出隅部に配設される出隅柱において，
該出隅柱は，一体的に形成された窯業系材料からなる出隅本体と，該出隅本体に固定された取付板とを有し，
上記出隅本体は，上記出隅部の外側に配される出隅意匠面と，該出隅意匠面の反対側に形成された平面状の出隅背面と，該出隅背面の左右端から斜め前方へ向って形成された出隅側端面とを有しており，
上記取付板は，上記出隅本体の上記出隅背面に固定する平板状の固定板部と，該固定板部の左右端からそれぞれ左右斜め後方に延設された脚板部とを有すると共に，上記固定板部と上記脚板部との間に，前方へ突出した縦目地用突出部を設けてなり，
上記出隅本体の上記出隅意匠面は，上記出隅背面と略平行に形成された平面状の平坦部と，該平坦部の左右において斜め後方に後退した傾斜部とを有し，
かつ，上記平坦部は，上記傾斜部よりも面積が大きく，
また，上記出隅本体は，上記出隅柱の左右に配される外壁板と同質の材料からなり，上記出隅本体の上記出隅側端面を，上記縦目地突出部を介して上記外壁板の外壁側端面に対向配置させると共に，上記傾斜部を上記外壁板の外壁意匠面と略同一平面上に配置させることができるよう構成されていることを特徴とする出隅柱。
【請求項２】
請求項１において，上記取付板は，上記出隅本体に対して接着剤によって接着固定されており，上記固定板部の前面に，上記接着剤を保持することができる複数のアンカー凹部を形成してなることを特徴とする出隅柱。
【請求項３】
建築物の出隅部に出隅柱を配設してなる出隅部施工構造において，
該出隅部施工構造は，上記建築物の構造躯体に下地材を介して，上記出隅柱及び該出隅柱の左右に配された窯業系材料からなる外壁板を留め付けてなり，
上記出隅柱は，一体的に形成された窯業系材料からなる出隅本体と，該出隅本体に固定された取付板とを有し，上記出隅本体は，上記出隅部の外側に配される出隅意匠面と，該出隅意匠面の反対側に形成された略平面状の出隅背面と，該出隅背面の左右端から斜め前方へ向って形成された出隅側端面とを有しており，上記取付板は，上記出隅本体の上記出隅背面に固定する平板状の固定板部と，該固定板部の左右端からそれぞれ左右斜め後方に延設された脚板部とを有すると共に，上記固定板部と上記脚板部との間に，前方へ突出した縦目地用突出部を設けてなり，上記出隅本体の上記出隅意匠面は，上記出隅背面と略平行に形成された平面状の平坦部と，該平坦部の左右において斜め後方に後退した傾斜部とを有し，かつ，上記平坦部は，上記傾斜部よりも面積が大きく，
上記出隅柱は，上記取付板の上記脚板部において上記下地材及び構造躯体に固定されており，
上記出隅本体における上記出隅側端面は，上記縦目地用突出部を介して上記左右の外壁板の外壁側端面に対向していると共に，上記出隅側端面と上記外壁板の外壁側端面との間であって上記縦目地用突出部の前面には，目地処理材が配設してあり，
上記出隅本体の上記傾斜部は，上記外壁板の外壁意匠面と略同一平面上に配置していることを特徴とする出隅部施工構造。
【請求項４】
請求項３において，上記取付板は，上記出隅本体に対して接着剤によって接着固定されており，上記固定板部の前面に，上記接着剤を保持することができる複数のアンカー凹部を形成してなることを特徴とする出隅部施工構造。
【発明の詳細な説明】
【０００１】
【技術分野】
本発明は，建築物の出隅部に配設される出隅柱，該出隅柱の製造方法，及び該出隅柱を用いた出隅部施工構造に関する。
【０００２】
【従来技術】
従来より，建築物の出隅部に配設される出隅柱として，図２３に示すごとく，左右２枚の板片９１を，互いに略直角となるように接合してなる出隅柱９がある。
該出隅柱９は，例えば以下のごとく製造する。
【０００３】
まず，図１９に示すごとく，窯業系板材などの板材９１０を切断して，適当な大きさに板片９１を切り出す。次いで，図２０に示すごとく，該板片９１の一方の側端部９１１を斜めに切り落し，表側面９１２及び裏側面９１３に対して約４５°の角度をなす切断面９１４を形成する。
【０００４】
次いで，図２１，図２２に示すごとく，２枚の上記板片９１の上記切断面９１４同士を突き合せ，２枚の板片９１の表側面９１２が略直角となるように接合する。このとき，２枚の板片９１の上記切断面９１４の間には，接着剤９２を介在させる。これにより，上記２枚の板片９１を接着する。
また，上記２枚の板片９１の接合部９３には，タッカー９４を打ち込み，接合強度を確保する。
次いで，図２３に示すごとく，上記接合部９３の外側角部９３１を面取り切断し，該外側角部９３１の欠けを防止すると共に外観意匠性を向上させる。
【０００５】
【解決しようとする課題】
しかしながら，上記従来の出隅柱９は，上述のごとく，接着剤９２を用いて２枚の板片９１を接着する。そのため，接着剤９２を乾燥させる必要があり，製造に時間がかかる。また，２枚の板片９２の突合せ角度（例えば９０°）を保持した状態で乾燥させるための保持治具が必要である。
【０００６】
また，上記接着剤９２が接合部９３からはみ出すこともあり，出隅柱９の外観意匠性を低下させるおそれがある。それ故，この場合には，はみ出した接着剤９２を削り取る必要がある。
また，上述のごとく，上記接合部９３にタッカー９４を打ったり，上記接合部９３の外側角部９３１を面取り切断する必要もある。そして，面取り面を後から補修塗装する必要もある。
【０００７】
更には，上記板材９１の表側面９１２に柄模様が形成されている場合に，その柄模様が上記接合部９３においてずれると，違和感を生じ，出隅柱９の外観意匠性が低下するおそれがある。
また，それ故，左右の板材９１を接合するにあたっては，左右の板材９１の柄模様がずれないよう位置合わせを慎重に行う必要がある。
【０００８】
本発明は，かかる従来の問題点に鑑みてなされたもので，製造容易かつ外観意匠性に優れた出隅柱及びその製造方法，並びにこれを用いた出隅部施工構造を提供しようとするものである。
【０００９】
【課題の解決手段】
第１の発明は，建築物の出隅部に配設される出隅柱において，
該出隅柱は，一体的に形成された窯業系材料からなる出隅本体と，該出隅本体に固定された取付板とを有し，
上記出隅本体は，上記出隅部の外側に配される出隅意匠面と，該出隅意匠面の反対側に形成された平面状の出隅背面と，該出隅背面の左右端から斜め前方へ向って形成された出隅側端面とを有しており，
上記取付板は，上記出隅本体の上記出隅背面に固定する平板状の固定板部と，該固定板部の左右端からそれぞれ左右斜め後方に延設された脚板部とを有すると共に，上記固定板部と上記脚板部との間に，前方へ突出した縦目地用突出部を設けてなり，
上記出隅本体の上記出隅意匠面は，上記出隅背面と略平行に形成された平面状の平坦部と，該平坦部の左右において斜め後方に後退した傾斜部とを有し，
かつ，上記平坦部は，上記傾斜部よりも面積が大きく，
また，上記出隅本体は，上記出隅柱の左右に配される外壁板と同質の材料からなり，上記出隅本体の上記出隅側端面を，上記縦目地突出部を介して上記外壁板の外壁側端面に対向配置させると共に，上記傾斜部を上記外壁板の外壁意匠面と略同一平面上に配置させることができるよう構成されていることを特徴とする出隅柱にある（請求項１）。
【００１０】
上記出隅本体は，上述のごとく一体的に形成されている。そのため，上記出隅本体の製造にあたっては，接合，接着の工程を必要としない。それ故，上記出隅本体は製造が容易であり，その結果，出隅柱の製造が容易となる。
また，上記出隅本体は一体的に形成され，接合部を有しないため，外観意匠性に優れている。
また，上記出隅柱は上記取付板を有するため，該取付板を介して上記出隅柱を上記出隅部に容易に施工することができる。
【００１１】
以上のごとく，本発明によれば，製造容易かつ外観意匠性に優れた出隅柱を提供することができる。
【００１２】
次に，建築物の出隅部に配設される出隅柱を製造する方法において，
上記出隅柱は，一体的に形成された窯業系材料からなる出隅本体と，該出隅本体に固定された取付板とを有し，上記出隅本体は，上記出隅部の外側に配される出隅意匠面と，該出隅意匠面の反対側に形成された略平面状の出隅背面と，該出隅背面の左右端から斜め前方へ向って形成された出隅側端面とを有しており，上記取付板は，上記出隅本体の上記出隅背面に固定する平板状の固定板部と，該固定板部の左右端からそれぞれ左右斜め後方に延設された脚板部とを有すると共に，上記固定板部と上記脚板部との間に，前方へ突出した縦目地用突出部を設けてなり，上記出隅本体の上記出隅意匠面は，上記出隅背面と略平行に形成された平面状の平坦部と，該平坦部の左右において斜め後方に後退した傾斜部とを有し，かつ，上記平坦部は，上記傾斜部よりも面積が大きく，
上記出隅柱を製造するにあたっては，上記出隅背面をその一部によって構成する平面状の裏側面と，該裏側面の反対側における該裏側面と略平行な平面状の表側面とを有すると共に，上下方向に沿って断面略Ｖ字形状のＶ字溝を複数本形成してなる，窯業系材料からなる出隅基材を，エンボス成形によって形成し，
次いで，上記Ｖ字溝の谷部に沿って，上記出隅基材を切断し分断し，
次いで，分断された該出隅基材の裏側面における左右の角部を，上下にわたり切削することにより，上記出隅側端面を形成して上記出隅本体を製造し，
次いで，該出隅本体を上記取付板に固定することを特徴とする出隅柱の製造方法がある。
【００１３】
上記製造方法においては，上記出隅基材の一部を切削することにより，出隅本体を形成することができる。そのため，出隅本体の製造にあたって，接合，接着の工程を必要としない。それ故，上記出隅本体を容易に製造することができ，その結果，出隅柱を容易に製造することができる。
【００１４】
また，上記出隅本体は一体的に形成され，接合部を有しないため，外観意匠性に優れている。
また，上記出隅柱は上記取付板を有するため，該取付板を介して上記出隅柱を，上記出隅部における下地材及び構造躯体に容易に施工することができる。
【００１５】
以上のごとく，本発明によれば，製造容易かつ外観意匠性に優れた出隅柱の製造方法を提供することができる。
【００１６】
また，建築物の出隅部に配設される出隅柱を製造する方法において，
上記出隅柱は，一体的に形成された出隅本体と，該出隅本体に固定された取付板とを有し，上記出隅本体は，上記出隅部の外側に配される出隅意匠面と，該出隅意匠面の反対側に形成された略平面状の出隅背面と，該出隅背面の左右端から斜め前方へ向って形成された出隅側端面とを有しており，上記取付板は，上記出隅本体の上記出隅背面に固定する平板状の固定板部と，該固定板部の左右端からそれぞれ左右斜め後方に延設された脚板部とを有し，
上記出隅柱を製造するにあたっては，上記出隅本体を，押出成形又は射出成形によって形成し，
次いで，該出隅本体を上記取付板に固定することを特徴とする出隅柱の製造方法がある。
【００１７】
上記製造方法においては，押出成形又は射出成形によって，出隅本体を形成することができる。そのため，出隅本体の製造にあたって，接合，接着の工程を必要としない。更に，切削の工程も省略又は簡略化することができる。それ故，上記出隅本体を容易に製造することができ，その結果，出隅柱を容易に製造することができる。
【００１８】
また，上記出隅本体は一体的に形成され，接合部を有しないため，外観意匠性に優れている。
また，上記出隅柱は上記取付板を有するため，該取付板を介して上記出隅柱を，上記出隅部における下地材及び構造躯体に容易に施工することができる。
【００１９】
以上のごとく，上記製造方法によれば，製造容易かつ外観意匠性に優れた出隅柱を提供することができる。
【００２０】
第２の発明は，建築物の出隅部に出隅柱を配設してなる出隅部施工構造において，
該出隅部施工構造は，上記建築物の構造躯体に下地材を介して，上記出隅柱及び該出隅柱の左右に配された窯業系材料からなる外壁板を留め付けてなり，
上記出隅柱は，一体的に形成された窯業系材料からなる出隅本体と，該出隅本体に固定された取付板とを有し，上記出隅本体は，上記出隅部の外側に配される出隅意匠面と，該出隅意匠面の反対側に形成された略平面状の出隅背面と，該出隅背面の左右端から斜め前方へ向って形成された出隅側端面とを有しており，上記取付板は，上記出隅本体の上記出隅背面に固定する平板状の固定板部と，該固定板部の左右端からそれぞれ左右斜め後方に延設された脚板部とを有すると共に，上記固定板部と上記脚板部との間に，前方へ突出した縦目地用突出部を設けてなり，上記出隅本体の上記出隅意匠面は，上記出隅背面と略平行に形成された平面状の平坦部と，該平坦部の左右において斜め後方に後退した傾斜部とを有し，かつ，上記平坦部は，上記傾斜部よりも面積が大きく，
上記出隅柱は，上記取付板の上記脚板部において上記下地材及び構造躯体に固定されており，
上記出隅本体における上記出隅側端面は，上記縦目地用突出部を介して上記左右の外壁板の外壁側端面に対向していると共に，上記出隅側端面と上記外壁板の外壁側端面との間であって上記縦目地用突出部の前面には，目地処理材が配設してあり，
上記出隅本体の上記傾斜部は，上記外壁板の外壁意匠面と略同一平面上に配置していることを特徴とする出隅部施工構造にある（請求項３）。
【００２１】
上記出隅本体は一体的に形成され，接合部を有しないため，外観意匠性に優れている。
また，上記出隅部施工構造は，上記出隅柱の出隅意匠面によって，出隅部を面取りした外形に構成することができる。これにより，出隅部施工構造の外観が緩やかな印象となり，外観意匠性を向上させることができる。
【００２２】
また，上記出隅本体は，上述のごとく一体的に形成されているため，上記出隅本体の製造にあたっては，接合，接着の工程を必要としない。それ故，上記出隅本体は製造が容易であり，その結果，出隅柱の製造が容易となる。これにより，上記出隅部施工構造を安価に得ることが可能となる。
また，上記出隅柱は上記取付板を有し，該取付板における脚板部において，下地材及び構造躯体に上記出隅柱を固定することができる。そのため，上記出隅柱を容易に施工することができる。
【００２３】
以上のごとく，本発明によれば，施工容易かつ外観意匠性に優れた出隅部施工構造を提供することができる。
【００２４】
【発明の実施の形態】
上記第１の発明（請求項１）において，上記取付板は，例えば厚み０．３〜１．０ｍｍの金属板を折り曲げ加工してなる。また，該金属板の材質としては，例えば，メッキ鋼板，ステンレス鋼板等を用いることができる。また，上記取付板は，アルミや樹脂等の押出成形等によって形成することもできる。
【００２５】
また，「一体的に形成」とは，複数の部材を接合して形成することなく，例えば，一体成形により形成したり，一体成形体等を切断，切削加工して形成したりすることをいう。以下においても同様である。
なお，本明細書においては，上記出隅柱を施工した状態において，上，下，左，右となる向きを，それぞれ，上，下，左，右として表す。
また，左右一対の上記脚板部が互いになす角度は，直角に限らず鋭角や鈍角にすることもでき，例えば６０〜１２０°とすることができる。
【００２６】
また，上記取付板は，上記固定板部と上記脚板部との間に，前方へ突出した縦目地用突出部を設けてなる。これにより，上記出隅本体を取付板に，正確な位置に固定することができる。また，上記出隅柱を施工するにあたり，該出隅柱の左右に配設される外壁板を正確な位置に施工することが容易となる。
【００２７】
また，上記第１の発明（請求項１）及び第２の発明（請求項３）において，上記出隅本体の上記出隅意匠面は，上記出隅背面と略平行に形成された平面状の平坦部を有している。これにより，製造容易かつ外観意匠性に優れた出隅柱及び出隅部施工構造を提供することができる。
【００２８】
また，上記出隅意匠面は，上記平坦部の左右において斜め後方に後退した傾斜部を有している。上記傾斜部を形成することにより，出隅本体の出隅意匠面と，これに隣接して配される外壁板の外壁意匠面との面合わせをすることができる。それ故，一層外観意匠性に優れた出隅柱及び出隅部施工構造を提供することができる。
【００２９】
また，上記取付板は，上記出隅本体に対して接着剤によって接着固定されており，上記固定板部の前面に，上記接着剤を保持することができる複数のアンカー凹部を形成してなることが好ましい（請求項２，請求項４）。この場合には，上記出隅本体と上記取付板との接着強度が向上し，強度，耐久性に優れた出隅柱及び出隅部施工構造を得ることができる。
【００３０】
次に，上記出隅本体の上記出隅意匠面は，上記出隅背面と略平行に形成された平面状の平坦部を有してなり，上記出隅基材の上記表側面は，上記裏側面と略平行であると共に平面状に形成されており，かつ，上記表側面の一部又は全部は上記平坦部を構成する。
これにより，上記表側面と裏側面とが略平行な板状体の一部を切削することにより，容易に出隅本体を製造することができる。そして，切削工数，切削除去される部分を少なくすることができる。
【００３１】
また，上記出隅意匠面は，上記平坦部の左右において斜め後方に後退した傾斜部を有してなり，上記出隅基材の表側面における左右の角部を，上下にわたり切削することにより，上記傾斜部を形成する。これにより，外観意匠性に優れた出隅柱を容易に製造することができる。
【００３２】
また，上記出隅基材は，内部まで均質に着色されていることが好ましい。この場合には，上記側方意匠面に改めて着色用の塗装を行う必要がない。そのため，一層製造容易な出隅柱の製造方法を得ることができる。また，上記出隅基材は防水性材料からなることが好ましい。
【００３３】
また，上記出隅基材の表側面は，エンボス成形によって形成する。これにより，上記出隅基材を切削する工程を削減することができる。そのため，一層製造容易な出隅柱の製造方法を得ることができる。また，上記出隅意匠面に所望の凹凸模様を容易に形成することができ，一層外観意匠性に優れた出隅柱を容易に製造することができる。
【００３４】
また，上記出隅本体の材質としては，セメント系材料を用いる。
【００３５】
次に，上記第２の発明（請求項３）において，上記出隅柱の出隅本体は，上記外壁板と同質の材料からなる。これにより，上記出隅部において，外壁板と出隅柱とが連続した外観を表出し，より外観意匠性に優れた出隅部施工構造を得ることができる。
また，上記目地処理材としては，例えば，シーリング材を用いることもでき（実施例１，図４，図５参照），乾式のドライシール部材を用いることもできる（実施例７，図１２参照）。
【００３６】
また，上記取付板は，上記固定板部と上記脚板部との間に，前方へ突出した縦目地用突出部を設けてなり，該縦目地用突出部は，上記出隅本体の出隅側端面と上記外壁板の外壁側端面との間に配置されている。
これにより，上記出隅柱と，その左右に配設される外壁板との間隔を一定にすることができる。また，例えば，上記縦目地用突出部の前面にボンドブレーカを貼着して，その上（出隅本体と外壁板との間の隙間部）に適正な量のシーリング材を充填することができる（図５参照）。
【００３７】
【実施例】
（実施例１）
本発明の実施例にかかる出隅柱，及びその製造方法，並びに出隅部施工構造につき，図１〜図６を用いて説明する。
上記出隅柱１は，図４，図５に示すごとく，建築物の出隅部に配設される。
該出隅柱１は，図１〜図３に示すごとく，一体的に形成された出隅本体２と，該出隅本体２に接着固定された取付板３とを有する。
【００３８】
上記出隅本体２は，図１，図２，図４，図５に示すごとく，上記出隅部の外側に配される出隅意匠面２１と，該出隅意匠面２１の反対側に形成された平面状の出隅背面２２と，該出隅背面２２の左右端から斜め前方へ向って形成された出隅側端面２３とを有している。
【００３９】
上記取付板３は，図１，図３に示すごとく，上記出隅本体２の上記出隅背面２２に固定する平板状の固定板部３１と，該固定板部３１の左右端からそれぞれ左右斜め後方に延設された脚板部３２とを有する。
また，上記取付板３は，上記固定板部３１と上記脚板部３２との間に，前方へ突出した縦目地用突出部３３を設けてなる。該縦目地突出部３３は，断面略コ字状に形成されており，一方の側面３３２は上記出隅本体２の側端面２３に対面し，他方の側面３３３は後述する外壁板５の外壁側端面５３に対面する（図５）。
【００４０】
また，図１，図２に示すごとく，上記出隅本体２の上記出隅意匠面２１は，上記出隅背面２２と略平行に形成された平面状の平坦部２１１を有している。更に，上記出隅意匠面２１は，上記平坦部２１１の左右において斜め後方に後退した傾斜部２１２を有する。
【００４１】
上記出隅柱１における出隅本体２は，左右幅が約５０ｍｍ，前後厚みが約１２ｍｍ，出隅意匠面２１の平坦部２１１の左右幅が約４２ｍｍ，出隅背面２２の左右幅が約３７ｍｍである。また，上記出隅柱１は窯業系材料からなる。
また，上記出隅側端面２３及び出隅意匠面２１の傾斜部２１２は，上記出隅背面２２及び上記平坦面２１１に対して略４５度の角度に形成されている。
【００４２】
また，上記取付板３は，メッキ鋼板等からなる，厚み約０．３５ｍｍの金属板を折り曲げ加工してなる。また，左右の上記脚板部３２のなす角度は，略９０度である。
また，上記出隅柱１は上下方向に長尺であり，上下方向の長さが，例えば３０００ｍｍである。
【００４３】
上記出隅柱１を製造するにあたっては，図６に示すごとく，上記出隅背面２２をその一部によって構成する平面状の裏側面７２と，該裏側面７２の反対側の表側面７１とを有する出隅基材７を用意する。なお，上記表側面７１は，その一部によって上記平坦部２１１を構成する。即ち，上記表側面７１は，上記裏側面７２と略平行であると共に平面状に形成されている。
【００４４】
次いで，該出隅基材７の裏側面７２における左右の角部を，上下にわたり切削することにより，上記出隅側端面２３を形成する。また，上記出隅基材７の表側面７１における左右の角部を，上下にわたり切削することにより，上記傾斜部２１２を形成する。
これにより，図２に示す上記出隅本体２を製造する。
【００４５】
また，該出隅本体２における出隅背面２２以外の面には塗装を施す。これにより，切削加工された傾斜部２１２及び出隅側端面２３が塗料によって被覆され，耐候性，意匠性が確保される。また，上記出隅基材７の材料として，内部まで均質に着色されていると共に防水性を有する材料を用いる場合には，かかる塗装を施す必要はない。従って，この場合には，出隅柱１の製造がより容易となる。
【００４６】
次いで，図１に示すごとく，該出隅本体２を上記取付板３（図３）に接着固定する。接着に当っては，上記取付板３の固定板部３１と上記出隅本体２の出隅背面２２との間に，変性シリコーン系，エポキシ系，ウレタン系等の接着剤１１を介在させて，両者を押圧して養生する。
【００４７】
次に，上記出隅柱１を建築物の出隅部に配設してなる出隅部施工構造４につき，図４，図５を用いて説明する。
該出隅部施工構造４は，図４，図５に示すごとく，上記建築物の構造躯体４１に下地材４２を介して上記出隅柱１及び該出隅柱１の左右に配された外壁板５とを留め付けてなる。
【００４８】
上記出隅柱１は，上記取付板３の上記脚板部３２において上記下地材４２及び構造躯体４１に固定されている。
上記出隅本体２における上記出隅側端面２３は，上記左右の外壁板５の外壁側端面５３に対向していると共に，上記出隅側端面２３と上記外壁板５の外壁側端面５３との間には，目地処理材４３が配設してある。
【００４９】
上記取付板３における縦目地用突出部３３は，上記出隅本体２の出隅側端面２３と上記外壁板５の外壁側端面５３との間に配置されており，ハットジョイナーの機能を発揮する。
そして，上記出隅側端面２３と上記外壁側端面５３との間には，約１０ｍｍの間隔が形成されている。
また，上記出隅意匠面２１の傾斜部２１２と上記外壁意匠面５１とは，略同一平面上に配置されるように施工してある。
【００５０】
また，上記出隅柱１の出隅本体２は，上記外壁板５と同質の材料からなる。また，上記目地処理材４３としては，シーリング材を用いている。なお，上記取付板３の縦目地用突出部３３の前面３３１には，３面接着防止のためのボンドブレーカーが貼設してあり（図示略），上記目地処理材４３（シーリング材）が上記取付板３に固着しないようにしてある。
【００５１】
また，上記出隅柱１の取付板３は，釘４４によって，上記下地材４２を介して構造躯体４１に固定してある。また，上記外壁板５も，釘４５によって，上記下地材４２を介して上記構造躯体４１に固定してある。
また，図４に示すごとく，上記外壁板５は，上下方向に複数枚連続して配設されている（横張り施工）。
【００５２】
次に，本例の作用効果につき説明する。
上記出隅本体２は，上述のごとく一体的に形成されている（図２）。そのため，上記出隅本体２の製造にあたっては，上記出隅基材７の一部を切削すればよく，接合，接着の工程を一切必要としない。それ故，上記出隅本体２は製造が容易であり，その結果，出隅柱１の製造が容易となる。
【００５３】
また，上記出隅本体２は一体的に形成され，接合部を有しないため，外観意匠性に優れている。
また，上記出隅柱１は上記取付板３を有するため，該取付板３を介して上記出隅柱１を上記出隅部に容易に施工することができる。
【００５４】
また，上記取付板３は，上記縦目地用突出部３３を設けてなるため，上記出隅本体２を取付板３に，正確な位置に固定することができる（図１，図５）。また，図５に示すごとく，上記出隅柱１を施工するにあたり，該出隅柱１の左右に配設される外壁板５を正確な位置に施工することが容易となる。
【００５５】
また，上記出隅本体２における上記出隅意匠面２１の平坦部２１１は，上記出隅背面２２と略平行に形成されている。そして，図６に示すごとく，上記出隅基材７の上記表側面７１は，上記裏側面７２と略平行に形成されており，上記表側面７１の一部は上記平坦部２１１を構成する。即ち，上記出隅基材７は，断面略長方形状の板状体であり，この板状体の角部を切削することにより，容易に出隅本体２を製造することができる。そして，切削工数，切削除去される部分を少なくすることができる。
【００５６】
また，上記出隅意匠面２１は，上記傾斜部２１２を有しているため，図５に示すごとく，出隅本体２の出隅意匠面２１と，これに隣接して配される外壁板５の外壁意匠面５１との面合わせをすることができる。それ故，一層外観意匠性に優れた出隅部施工構造を得ることができる。
【００５７】
以上のごとく，本例によれば，製造容易かつ外観意匠性に優れた出隅柱を提供することができる。
【００５８】
（実施例２）
本例は，図７に示すごとく，出隅柱１における出隅本体２を，エンボス成形によって形成する例である。
即ち，上記出隅本体２を複数本分採ることができる出隅基材７０を，エンボス成形により得る。即ち，上記出隅基材７０の表側面７１を，エンボス成形によって形成する。このとき，上記表側面７１に，上下方向に沿ってＶ字溝７１１を複数本形成する。
【００５９】
次いで，上記Ｖ字溝７１１の谷部７１２に沿って，上記出隅基材７を切断し分割する。
次いで，分割された各出隅基材７の裏側面７２における角部を切削して，出隅側端面２３を形成する。
これにより，出隅本体２（図２参照）を製造する。
その他は，実施例１と同様である。
【００６０】
この場合には，上記出隅基材７を切削する工程を大幅に削減することができる。そのため，一層容易に出隅柱１を製造することができる。また，上記出隅意匠面２１に所望の凹凸模様を容易に形成することができ，一層外観意匠性に優れた出隅柱１を容易に製造することができる。
その他，実施例１と同様の作用効果を有する。
【００６１】
（実施例３）
本例は，出隅本体２を押出成形によって形成する例である。
即ち，セメント系材料あるいはポリプロピレン等の合成樹脂を，上記出隅本体２の水平断面形状（図２）に対応する口金から押出して成形する。また，成形材料には，着色材を混入させておく。
その他は，実施例１と同様である。
【００６２】
この場合には，上記出隅本体２を，切断，切削加工を行うことなく，製造することができ，その結果，出隅柱１を容易に製造することができる。
また，上記着色材によって，成形材料に着色を施しておくことにより，出隅本体を塗装する工程も不要となり，一層製造容易な出隅柱１を得ることができる。
その他，実施例１と同様の作用効果を有する。
【００６３】
（実施例４）
本例は，図８，図９に示すごとく，出隅本体２の左右幅が小さい出隅柱１の例である。
即ち，上記出隅本体２は，左右幅が約３６ｍｍ，前後厚みが約１２ｍｍ，出隅意匠面２１の平坦部２１１の左右幅が約２８ｍｍ，出隅背面２２の左右幅が約２３ｍｍである。
その他は，実施例１と同様である。
本例の場合にも，実施例１と同様の作用効果を有する。
【００６４】
（実施例５）
本例は，図１０に示すごとく，留め付け金具４６を用いて，外壁板５を下地材４２及び構造躯体４１に留め付けてなる出隅部施工構造４の例である。
上記留め付け金具４６は，上記外壁板５の下辺部及び上辺部を係止することにより，外壁板５を下地材４２及び構造躯体４１に留め付けている。また，上記留め付け金具４６は，上記外壁板５と上記下地材４２との間に通気用スペース４８を設けた状態で，上記外壁板５を保持するよう構成してある。
【００６５】
また，出隅部には，実施例１と同様の出隅柱１を配設してある。そして，該出隅柱１における取付板３の脚板部３２と上記下地材４２との間には，スペーサ４７が介在させてある。該スペーサ４７は，上下方向に貫通した貫通セル４７１を複数設けてなる。そして，該スペーサ４７は，上記取付板３と共に，釘４４によって下地材４２及び構造躯体４１に固定してある。
その他は，実施例１と同様である。
【００６６】
本例の場合には，上記通気用スペース４８によって，外壁板５と上記下地材４２との間の通気性を確保することができる。そのため，結露による上記外壁板５，下地材４２，構造躯体４１の腐食，劣化を防ぐことができ，一層耐久性に優れた出隅部施工構造４を得ることができる。
また，上記外壁板５を，留め付け金具４６を用いて，下地材４２及び構造躯体４１に留め付けることができるため，一層施工が容易である。
その他，実施例１と同様の作用効果を有する。
【００６７】
（実施例６）
本例は，図１１に示すごとく，出隅柱１における取付板３の脚板部３２を，実施例５の脚板部３２に比べて，より後退させて形成した例である。
そして，本例の出隅部施工構造４においては，上記脚板部３２を直接下地材４２に当接させて固定してある。
その他は，実施例５と同様である。
【００６８】
この場合には，脚板部３２と下地材４２との間に，スペーサ４４（図１０参照）を配設する必要がないため，施工容易かつ安価な出隅部施工構造４を得ることができる。
その他は，実施例５と同様の作用効果を有する。
【００６９】
（実施例７）
本例は，図１２に示すごとく，出隅柱１と外壁板５との間に配設する目地処理材４３として，乾式のドライシール部材を用いた例である。
即ち，上記目地処理材４３は，上記出隅柱１における取付板３に固定されたベース部材４３１と，該ベース部材４３１に嵌合固定する嵌め込み部材４３２とからなる。
上記ベース部材４３１は，上下方向に沿って形成された一対の壁条部４３３を有し，該一対の壁条部４３３の間には上記嵌め込み部材４３２を嵌合するための嵌合溝部４３４が形成されている。
【００７０】
一方，上記嵌め込み部材４３２は，上記出隅柱１と外壁板５との間の間隙を閉塞するための弾力性を有する表面目地形成部４３５と，該表面目地形成部４３５の上下方向に沿って設けた凸条部４３６とを有する。
上記嵌め込み部材４３２は，上記凸条部４３６を上記ベース部材４３１の上記嵌合溝部４３４に嵌入すると共に，上記表面目地形成部４３５を上記出隅柱１の出隅側端面２３及び外壁板５の外壁側端面５３に密着させてある。
【００７１】
また，上記ベース部材４３１は，例えばＰＶＣ等の合成ゴムにより形成され，上記嵌め込み部材４３２は，例えばクロロスルホン化ポリエチレン等の合成ゴムからなる。
なお，上記取付板３には，縦目地用突出部３３（図１０参照）は形成しない。
その他は，実施例５と同様である。
【００７２】
この場合には，後からのシーリング材の施工が不要となるため，一層，施工容易であると共に，外観意匠性に優れた出隅部施工構造を得ることができる。
その他，実施例５と同様の作用効果を有する。
【００７３】
（実施例８）
本例は，図１３に示すごとく，出隅本体２の形状を，断面略台形状に形成した出隅柱１の例である。そして，上記取付板３の縦目地用突出部３３は，上記出隅本体２の形状に沿うような形状に形成してある。
その他は，実施例５と同様である。
【００７４】
この場合には，上記出隅本体２の出隅意匠面２１に傾斜部２１２（図２参照）を形成する必要がない。それ故，上記出隅意匠面２１においては，切削加工等が極めて簡略化されるため，製造が容易である。
その他，実施例５と同様の作用効果を有する。
【００７５】
（実施例９）
本例は，図１４に示すごとく，出隅柱１における出隅本体２の厚みを大きくした例である。
即ち，出隅意匠面２１の平坦部２１１は，出隅背面２２よりも約２５ｍｍ前方に位置する。そして，出隅意匠面２１の傾斜部２１２は，約１５ｍｍの幅を有する。
その他は，実施例５と同様である。
この場合にも，実施例５と同様の作用効果を有する。
【００７６】
（実施例１０）
本例は，図１５に示すごとく，釘４５を外壁板５と出隅柱１の取付板３との両方を貫くように打設した出隅部施工構造４の例である。
その他は，実施例４と同様である。
【００７７】
この場合には，上記外壁板５と出隅柱１とが取付板３を介して一体化するため，該取付板３によって外壁板５の伸縮が規制される。これにより，上記出隅柱１と外壁板５との間の間隙を例えば７ｍｍと小さくしても，充分に外壁板５の伸縮を吸収することができる。
それ故，より外観意匠性に優れた出隅部施工構造を得ることができる。
その他，実施例４と同様の作用効果を有する。
【００７８】
（実施例１１）
本例は，図１６に示すごとく，出隅本体２を断面略台形状に形成すると共に厚みを小さくした出隅柱１の例である。
即ち，上記出隅本体２の厚みは，約９ｍｍである。
その他は，実施例４と同様である。
【００７９】
この場合には，実施例８と同様に出隅本体２の製造が容易である。
また，出隅柱１を軽量にすることができ，施工が容易である。
その他，実施例４と同様の作用効果を有する。
【００８０】
（実施例１２）
本例は，図１７に示すごとく，出隅意匠面２１を，円弧状の断面形状とした出隅柱１の例である。
上記出隅意匠面２１は，エンボス成形により形成することができる。
その他は，実施例４と同様である。
この場合には，出隅部を曲面状に形成することができ，外観意匠性を向上させることができる。その他，実施例４と同様の作用効果を有する。
【００８１】
（実施例１３）
本例は，図１８に示すごとく，取付板３における固定板部３１の前面に，複数のアンカー凹部３１３を形成してなる出隅柱１の例である。
上記アンカー凹部３１３は，例えば直径約１ｍｍの半球状に形成されている。また，上記アンカー凹部３１３は，上記固定板部３１において，面積比１０〜２０％の割合で配設されている。
また，上記アンカー凹部３１３は，例えばプレス成形により形成することができる。
また，アンカー凹部３１３に代えて，複数本のリブを形成してもよく，この場合には，ロール成形により形成することができる。
その他は，実施例１と同様である。
【００８２】
この場合には，上記アンカー凹部３１３は，上記出隅本体２と取付板３との間に介在させた接着剤１１を確実に保持することができる。それ故，上記出隅本体２と上記取付板３との接着強度が向上し，強度，耐久性に優れた出隅柱１及び出隅部施工構造４を得ることができる。
その他，実施例１と同様の作用効果を有する。
【図面の簡単な説明】
【図１】実施例１における，出隅柱の斜視図。
【図２】実施例１における，出隅本体の斜視図。
【図３】実施例１における，取付板の斜視図。
【図４】実施例１における，出隅部施工構造の斜視図。
【図５】実施例１における，出隅部施工構造の水平断面図。
【図６】実施例１における，出隅柱の製造方法の説明図。
【図７】実施例２における，出隅柱の製造方法の説明図。
【図８】実施例４における，出隅柱の斜視図。
【図９】実施例４における，出隅部施工構造の水平断面図。
【図１０】実施例５における，出隅部施工構造の水平断面図。
【図１１】実施例６における，出隅部施工構造の水平断面図。
【図１２】実施例７における，出隅部施工構造の水平断面図。
【図１３】実施例８における，出隅部施工構造の水平断面図。
【図１４】実施例９における，出隅部施工構造の水平断面図。
【図１５】実施例１０における，出隅部施工構造の水平断面図。
【図１６】実施例１１における，出隅部施工構造の水平断面図。
【図１７】実施例１２における，出隅部施工構造の水平断面図。
【図１８】実施例１３における，出隅柱の取付板の斜視図。
【図１９】従来例における，板材及び板片の平面図。
【図２０】従来例における，切断面を形成した一対の板片の断面図。
【図２１】従来例における，切断面同士を対向させて配置した一対の板片の断面図。
【図２２】従来例における，一対の板片を接合した状態を表す断面図。
【図２３】従来例における，出隅柱の断面図。
【符号の説明】
１．．．出隅柱，
１１．．．接着剤，
２．．．出隅本体，
２１．．．出隅意匠面，
２２．．．出隅背面，
２３．．．出隅側端面，
３．．．取付板，
３１．．．固定板部，
３２．．．脚板部，
３３．．．縦目地用突出部，
４．．．出隅部施工構造，
５．．．外壁板，
７．．．出隅基材，
【図１】
0003629456.tif 000002
【図２】
0003629456.tif 000003
【図３】
0003629456.tif 000004
【図４】
0003629456.tif 000005
【図５】
0003629456.tif 000006
【図６】
0003629456.tif 000007
【図７】
0003629456.tif 000008
【図８】
0003629456.tif 000009
【図９】
0003629456.tif 000010
【図１０】
0003629456.tif 000011
【図１１】
0003629456.tif 000012
【図１２】
0003629456.tif 000013
【図１３】
0003629456.tif 000014
【図１４】
0003629456.tif 000015
【図１５】
0003629456.tif 000016
【図１６】
0003629456.tif 000017
【図１７】
0003629456.tif 000018
【図１８】
0003629456.tif 000019
【図１９】
0003629456.tif 000020
【図２０】
0003629456.tif 000021
【図２１】
0003629456.tif 000022
【図２２】
0003629456.tif 000023
【図２３】
0003629456.tif 000024